(57)【要約】【課題】            空気調和機に備えた冷風・除湿の切換機能の操作性の向上を図るための構造に関する。【解決手段】        枠体１内に圧縮機２とコンデンサ３とエバポレータ４とで構成する冷凍サイクルを備え、冷風ファン５ａのファンケース５ｂには温風ファン３ａの空気取入口９に連通するバイパス流路１０を取り付け、冷風の吹出方向を冷風吹出口８とバイパス流路１０との間で切換える送風経路切換手段を設け、ドレンパン６にはドレン水をドレンタンク７に誘導する下部排水路６ａとコンデンサ３に誘導する上部排水路６ｂとを設け、ドレン水の排水方向を下部排水路６ａと上部排水路６ｂとの間で切換える排水経路切換手段を備える。送風経路切換手段と排水経路切換手段は１個の操作手段１４によって駆動可能に設け、バイパス流路１０側を選択時は下部排水路６ａに切換わり、冷風吹出口８を選択時は下部排水路６ａと上部排水路６ｂとを任意に選択可能となるように配置した。【選択図】          図１
2007271219.tif 000002
【特許請求の範囲】
【請求項１】
空気調和機の枠体内には、冷媒を圧縮する圧縮機と、高温のガス状冷媒が送られるコンデンサと、液化した冷媒が減圧器を介して送られるエバポレータとを設け、
エバポレータで気化した冷媒が圧縮機に戻される冷凍サイクルを構成し、
前記コンデンサに送風する温風ファンと、前記エバポレータに送風する冷風ファンとを設けると共に、
前記エバポレータの下方にドレンパンを配置し、該ドレンパンの下方に前記コンデンサとドレンタンクとを配置した空気調和機において、
前記枠体に設けた冷風吹出口に接続する冷風ファンのファンケースには、温風ファンの空気取入口に連通するバイパス流路を取り付け、
ファンケースとバイパス流路との接続口には、冷風の吹出方向を冷風吹出口とバイパス流路との間で変更する送風経路切換手段を設けると共に、
前記ドレンパンには、エバポレータで発生したドレン水をドレンタンクに誘導する下部排水路と、コンデンサに誘導する上部排水路と、ドレン水の排水方向を下部排水路と上部排水路との間で変更する排水経路切換手段とを設け、
送風経路切換手段と排水経路切換手段は前記枠体の側面に設けた操作手段に取り付け、この１個の操作手段によって駆動する送風経路切換手段と排水経路切換手段は、
送風経路切換手段が接続口を開口時は排水経路切換手段が下部排水路を選択し、送風経路切換手段が接続口を閉止時は排水経路切換手段によって下部排水路と上部排水路とを任意に選択可能となるように配置したことを特徴とする空気調和機。
【請求項２】
前記接続口は前記冷風ファンのファンケースの側面に配置し、前記送風経路切換手段は前記操作手段によって駆動して接続口を開閉する閉止板と、接続口の開閉を検出する開閉スイッチと、開閉スイッチの信号によって前記冷風吹出口に連続する冷風ファンの冷風出口を開閉する開閉手段とによって構成し、閉止板が接続口を開口時に開閉手段が冷風吹出口を閉止し、接続口を閉止時に開閉手段が冷風吹出口を開口すると共に、
前記排水経路切換手段は前記ドレンパンに設けた下部排水路と上部排水路との間を連通する連通孔と、前記閉止板の可動端に設けた連通孔を開閉する開閉弁とによって構成し、
前記閉止板が接続口を開口時に開閉弁が連通孔を開口して下部排水路を選択し、接続口を閉止時には開閉弁が連通孔を開口する第１の閉止位置と連通孔を閉止する第２の閉止位置との間で駆動して、下部排水路と上部排水路とを切換え可能となっていることを特徴とする請求項１記載の空気調和機。
【請求項３】
前記冷風吹出口には可動自在にルーバーを取り付け、該ルーバーは冷風吹出口を開閉可能に設けて前記開閉手段を構成し、前記接続口の開口時はルーバーによって冷風吹出口を閉止することを特徴とする請求項２記載の空気調和機。
【請求項４】
前記接続口はファンケースの側面下部に配置し、前記バイパス流路は枠体とファンケースとの間の空間に形成すると共に、前記閉止板は空間内に横方向にスライド可能に取り付けたことを特徴とする請求項２又は３に記載の空気調和機。
【請求項５】
前記枠体の底面にはキャスターを備えており、少なくとも操作手段を配置した側のキャスターの回転方向を操作手段の駆動方向とは異なる向きに配置したことを特徴とする請求項４記載の空気調和機。
【発明の詳細な説明】
【技術分野】
【０００１】
この発明は冷凍サイクルを備えた一体型の空気調和機に、冷風専用機の機能と除湿専用機の機能を持たせた構造に関するものである。
【背景技術】
【０００２】
枠体内に圧縮機とコンデンサと減圧器とエバポレータとを備えて冷凍サイクルを構成し、冷風ファンによってエバポレータを通過して冷却された空気を冷風吹出口から吹出し、温風ファンによってコンデンサを通過して加熱された空気を温風吹出口から吹出す構成の冷風機が知られている。
【０００３】
冷風機は冷凍サイクルとして存在している除湿機能を利用して、除湿機としても使われているが、除湿機に比べると除湿能力が低いため、従来では本格的な除湿機としての使用には向かないものであった。このため最近では冷風機を本格的な除湿機としても利用したい要望があり、冷風ファンの吐出口と温風ファンの空気取入口とを連通するバイパス流路を備え、冷風の吹出方向を切換えできる構造にして、除湿機として使用するときはエバポレータを通過した冷風をコンデンサに送ることでコンデンサの冷却を補助して冷凍サイクルの効率を向上し、専用の除湿機に匹敵する除湿能力を得ることができた。
【０００４】
また、冷風機はコンデンサの冷媒の冷却効率が高いほど冷風能力が向上することから、エバポレータで発生するドレン水をコンデンサに散水して、ドレン水によってコンデンサを冷却することで冷媒の冷却効率を高めており、この機能はコンデンサの熱によってドレン水が蒸発するのでドレン水の少量化が可能であるが、この場合は除湿機能が犠牲となるから室内の除湿を行ないたいときには向かないものである。このため、枠体内のドレンパンにコンデンサとドレンタンクにのぞむ２つの排水路を備え、ドレン水の排水経路をコンデンサ側とドレンタンク側との間で任意に変更できる構造を備え、除湿冷風運転と冷風のみの運転の切換ができるようにしたものがある。
【特許文献１】特願２００４−２２９３８号
【特許文献２】特願２００４−２２９３９号
【発明の開示】
【発明が解決しようとする課題】
【０００５】
枠体内に上記２つの機能を備えることで冷風機と除湿機の兼用機が実現できるが、この２つの機能を兼用するにあたり、冷風の吹出方向を切換える操作手段と、ドレン水の排水路を切換える操作手段とを各々備えた構成にすると、除湿運転を選択しているときにコンデンサ側の排水路を選択する可能性があり、エバポレータで除湿された水分がコンデンサで蒸発してしまうため、除湿能力が低下して専用の除湿機としての機能が発揮できなくなる問題がある。
【０００６】
このため、冷風の吹出方向を切換える操作手段と、ドレン水の排水路を切換える操作手段とを連動させ、除湿運転中はドレン水の排水路の操作手段を強制的にドレンタンク側に位置させ、一方、コンデンサ側の排水路を選択したときは強制的に冷風運転に切換える構成にして、誤使用を防止する必要がある。しかしながら、これらの操作を２個の操作手段で行う構成では、運転の切換え操作が複雑になり、運転状態がわかりにくくなるという欠点があった。
【０００７】
また、運転の切換えを確実に行なうために操作手段を確実に切換え位置で保持する構成となっているため、操作手段を操作するときには大きな操作力が必要となっており、特に一方の操作手段を操作するときに同時に他方の操作手段を駆動するときには、大きな力が必要となるものであり、操作性の面においても課題がある。
【課題を解決するための手段】
【０００８】
この発明は上記の課題を解決するもので、空気調和機の枠体１内には、冷媒を圧縮する圧縮機２と、高温のガス状冷媒が送られるコンデンサ３と、液化した冷媒が減圧器４を介して送られるエバポレータ５とを設け、エバポレータ５で気化した冷媒が圧縮機２に戻される冷凍サイクルを構成し、前記コンデンサ３に送風する温風ファン３ａと、前記エバポレータ５に送風する冷風ファン５ａとを設けると共に、前記エバポレータ５の下方にドレンパン６を配置し、該ドレンパン６の下方に前記コンデンサ３とドレンタンク７とを配置した空気調和機において、前記枠体１に設けた冷風吹出口８に接続する冷風ファン５ａのファンケース５ｂには、温風ファン３ａの空気取入口９に連通するバイパス流路１０を取り付け、ファンケース５ｂとバイパス流路１０との接続口１１には、冷風の吹出方向を冷風吹出口８とバイパス流路１０との間で変更する送風経路切換手段を設けると共に、前記ドレンパン６には、エバポレータ５で発生したドレン水をドレンタンク７に誘導する下部排水路６ａと、コンデンサ３に誘導する上部排水路６ｂと、ドレン水の排水方向を下部排水路６ａと上部排水路６ｂとの間で変更する排水経路切換手段とを設け、送風経路切換手段と排水経路切換手段は前記枠体１の側面に設けた操作手段１４に取り付け、この１個の操作手段１４によって駆動する送風経路切換手段と排水経路切換手段は、送風経路切換手段が接続口１１を開口時は排水経路切換手段が下部排水路６ａを選択し、送風経路切換手段が接続口１１を閉止時は排水経路切換手段によって下部排水路６ａと上部排水路６ｂとを任意に選択可能となるように配置したことを特徴とするものである。
【０００９】
また、接続口１１は前記冷風ファン５ａのファンケース５ｂの側面に配置し、前記操作手段１４によって駆動して接続口１１を開閉する閉止板１２と、接続口１１の開閉を検出する開閉スイッチ１５と、開閉スイッチ１５の信号によって前記冷風吹出口８を開閉する開閉手段１３とを設け、閉止板１２が接続口１１を開口時に開閉手段１３が冷風吹出口８を閉止し、接続口１１を閉止時に開閉手段１３が冷風吹出口８を開口すると共に、前記ドレンパン６には下部排水路６ａと上部排水路６ｂとの間を連通する連通孔６ｃを設け、前記閉止手段１２の可動端には連通孔６ｃを開閉する開閉弁１２ａを設け、閉止板１２が接続口１１を開口時に開閉弁１２ａが連通孔６ｃを開口して下部排水路６ａを選択し、接続口１１を閉止時には開閉弁１２ａが連通孔６ｃを開口する第１の閉止位置と連通孔６ｃを閉止する第２の閉止位置との間で駆動して、下部排水路６ａと上部排水路６ｂとを切換え可能となっており、操作手段１４によって閉止板１２の開閉操作のみを行うことで運転の切換えが可能であり、操作手段１４の操作性が向上できるものなった。
【００１０】
また、冷風吹出口８には可動自在にルーバー１６を取り付け、該ルーバー１６は冷風吹出口８を開閉可能に設けて前記開閉手段１３を構成し、前記接続口１１の開口時はルーバー１６によって冷風吹出口８を閉止するものであり、ルーバー１６が開閉手段１３を兼用することができる。
【００１１】
また、接続口１１はファンケース５ｂの側面下部に配置し、前記バイパス流路１０は枠体１とファンケース５ｂとの間の空間に形成すると共に、前記閉止板１２は空間内に横方向にスライド可能に取り付けたものであり、枠体１とファンケース５ｂの側面下部との間のスペースを利用して効率よく部品の配置ができるものである。
【００１２】
また、枠体１の底面にはキャスター１９を備えており、少なくとも操作手段１４を配置した側のキャスター１９の回転方向を操作手段１４の駆動方向とは異なる向きに配置したから、操作手段１４を横方向にスライド操作する構成でも、操作手段１４の操作時に製品が簡単に移動することはない。
【発明の効果】
【００１３】
この発明の空気調和機は、通常の冷風運転ではエバポレータ５を通過した冷風は冷風吹出口８から吹出しているが、このエバポレータ５を通過した冷風をコンデンサ３に送ることによって本格的な除湿機として使用できると共に、冷風機として使用するときにおいて、通常ドレンタンク７に送るドレン水をコンデンサ３に送ることによって冷凍サイクルの向上とドレン水の少量化を実現した運転を可能にしたものである。
【００１４】
そして、冷風の吹出方向を変更する送風経路切換手段とドレン水の排水方向を変更する排水経路切換手段を１個の操作手段１４に取り付け、送風経路切換手段が接続口１１を閉止しているときのみ排水経路切換手段によって下部排水路６ａと上部排水路６ｂの選択が可能となっており、送風経路切換手段が接続口１１を開口するときは必ず排水経路切換手段が下部排水路６ａを選択する構成としたから、使用者による誤操作を防ぐことができると共に、運転の切換を１個の操作手段１４で行うことができるので、運転の切換操作が簡単となって使い勝手が向上できた。
【００１５】
また、接続口１１を開閉する閉止板１２と、冷風吹出口８を開閉する開閉手段１３とを設け、接続口１１の開閉を検出する開閉スイッチ１５の信号によって作動する開閉手段１３は、接続口１１の開口時に冷風吹出口８を閉止し、接続口１１の閉止時に冷風吹出口８を開口することで冷風の吹出方向を切換えると共に、接続口１１を開口時は閉止板１２の可動端に設けた閉止弁１２ａが連通孔６ｃを開口して下部排水路６ａを選択し、接続口１１を閉止時は開閉弁１２ａが第１の閉止位置で連通孔６ｃを開口し第２の閉止位置で連通孔６ｃを閉止して下部排水路６ａと上部排水路６ｂとを選択可能になっており、閉止手段１２に形成した操作手段１４の位置の切換え操作によって空気調和機の運転を切換えることができるようになったから、運転の切換操作が簡単になると共に、操作手段１４の切換位置で容易に運転の確認ができるものとなり、使い勝手が向上できた。
【００１６】
また、冷風吹出口８を開閉可能に取り付けたルーバー１６によって冷風出口５ｃを開閉する開閉手段１３を構成としたときは、操作手段１４の切換位置とルーバー１６の開閉によって冷風・除湿の運転状態が確認しやすくなると共に、ルーバー１６が開閉手段１３を兼用することで部品点数の増加やコストの上昇を抑えることができる。
【００１７】
また、枠体１内の冷風ファン５ａのファンケース５ｂの側面下部には空間が形成されており、従来この空間は無駄なスペースとなっていたが、この発明ではこの空間を利用してバイパス流路１０と送風経路切換手段の閉止板１２を配置したから、枠体１内に効率良く部品を配置することができ、枠体１の形状を大きくすることなく実現できた。
【００１８】
また、操作手段１４を横方向にスライド操作するときは、枠体１の底面に取り付けたキャスター１９の回転方向を操作手段１４のスライド方向と異なる方向に向けることで、操作手段１４の操作時にキャスターの回転を防ぐことができるから、操作手段１４を横方向に操作する構成でも製品が移動することなく操作が行いやすいものである。
【発明を実施するための最良の形態】
【００１９】
図に示す実施例によってこの発明を説明すると、１は空気調和機の枠体、２は枠体１内に収納された冷媒圧縮用の圧縮機、３は圧縮機２で圧縮された冷媒が高温高圧となって送られるコンデンサ、４はコンデンサ３で放熱して液化した冷媒が減圧される減圧器、５は減圧器４で減圧された冷媒が送られるエバポレータであり、冷媒はエバポレータ５に送られて気化し、冷媒の気化熱によって周囲を冷却する。その後エバポレータ５で気化した冷媒ガスは圧縮機２に戻され、再び圧縮機２で加圧された冷媒がコンデンサ３に送られて循環している。
【００２０】
３ａは室内空気を吸引して前記コンデンサ３を通過させる温風ファン、５ａは室内空気を吸引してエバポレータ５を通過させる冷風ファン、１７は温風ファン３ａと冷風ファン５ａを駆動するファンモータであり、該ファンモータ１７が回転すると温風ファン３ａと冷風ファン５ａが一緒に回転する。
【００２１】
１８は枠体１の上面に設けた温風吹出口、３ｃは温風吹出口１８に連続する温風ファン３ａの温風出口であり、温風ファン３ａによって送風される空気はコンデンサ３を通過し、この時圧縮機２から送られる高温高圧のガス状冷媒が冷却されて液化する。３ｂは温風ファン３ａの外周を覆うファンケースであり、コンデンサ３を通過して高温となった空気はファンケース３ｂによって温風出口３ｃに誘導され、温風吹出口１８から排出される。
【００２２】
８は枠体１の前面上部に設けた冷風吹出口、５ｃは冷風吹出口８に連続する冷風ファン５ａの冷風出口であり、減圧器４で減圧された液体の冷媒はエバポレータ５に送られて気化し、冷風ファン５ａによってエバポレータ５に送られる空気は気化熱によって冷却される。５ｂは冷風ファン５ａの外周を覆うファンケースであり、エバポレータ５を通過して低温となった空気はファンケース５ｂによって冷風出口５ｃに誘導され、冷風吹出口８から吹出す。
【００２３】
６はエバポレータ５の下方に設けたドレンパン、７は枠体１内の下部に設けたドレンタンク、１ａはドレンタンク７の側方に位置するタンク取出口であり、エバポレータ５で冷却される空気に含まれる水分はエバポレータ５の表面に結露してドレン水となってドレンパン６に滴下する。ドレンパン６に滴下したドレン水はドレンタンク７に溜まり、このドレンタンク７はタンク取出口１ａを開いて枠体１内から取出して捨て水する。
【００２４】
１９は枠体１の底板に取付けたキャスターであり、冷風機や除湿機といった一体型の空気調和機は任意の場所に移動して使用するものであるから、空気調和機を移動するときには空気調和機を持ち上げなくてもキャスター１９によって気軽に移動することができ、取り扱いの便利性を向上させている。
【００２５】
図１に示す実施例において、９はコンデンサ３に空気を通過させる温風ファン３ａの空気取入口、１０は冷風ファン５ａのファンケース５ｂと空気取入口９とを連通するバイパス流路、１１はファンケース５ｂとバイパス流路１０との接続口、１０ａは空気取入口９からコンデンサ３に至る流路に開口したバイパス流路１０の流出口であり、枠体１内にはエバポレータ５を通過した冷風の吹出方向を冷風吹出口８側とバイパス流路１０側との間で切換える送風経路切換手段を備えている。
【００２６】
この構成では、送風経路切換手段によって冷風ファン５ａの冷風出口５ｃを開口して接続口１１を閉止しているときは、送風ファン５ａによってエバポレータ５を通過した冷風は冷風出口５ｃに誘導され、冷風吹出口８から室内に吹出しており、冷風機として使用できる。
【００２７】
一方、送風経路切換手段によって冷風ファン５ａの冷風出口５ｃを閉止して接続口１１を開口しているときは、送風ファン５ａによってエバポレータ５を通過した冷風はバイパス流路１０に誘導され、バイパス流路１０の流出口１０ａから空気取入口９とコンデンサ３との間に流入し、送風ファン３ａによって空気取入口９から取込まれた室内空気と混合してコンデンサ３に送られるものであり、コンデンサ３にエバポレータ５で冷却された低温度の空気を通過させることで、冷風吹出口８から冷風が吹出すことがなくなると共に、コンデンサ３に送られる冷媒を効率よく冷却できるから、除湿能力の高い専用の除湿機として使用できる。
【００２８】
また、ドレンパン６の下方にコンデンサ３を配置し、コンデンサ３よりも下方にドレンタンク７を配置しており、６ａはドレンパン６のドレン水をドレンタンク７に誘導する下部排水路、６ｂはドレンパン６のドレン水をコンデンサ３の上方に誘導する上部排水路であり、ドレンパン６にはドレン水の排水方向を下部排水路６ａと上部排水路６ｂとの間で切換える排水経路切換手段を備えている。
【００２９】
この構成では、排水経路切換手段によって下部排水路６ａを開口して上部排水路６ｂを閉止しているときは、エバポレータ５で発生してドレンパン６に滴下したドレン水が下部排水路６ａからドレンタンク７に誘導されるので、エバポレータ５で発生するドレン水は全てドレンタンク７に溜まり、室内空気の除湿を行うことができる。
【００３０】
一方、排水経路切換手段によって上部排水路６ｂを開口して下部排水路６ａを開口しているときは、ドレンパン６に落下したドレン水が上部排水路６ｂからコンデンサ３に誘導されるので、コンデンサ３がドレン水によって冷却されてコンデンサ３に送られる冷媒を効率良く冷却することができ、また、ドレン水がコンデンサ３の熱によって蒸発するので、冷風能力の向上とドレン水の少量化が可能となる。この運転モードはエバポレータ５で除湿された空気中の水分がコンデンサ３で蒸発するので室内の除湿は行われないが、冷風能力を向上した冷風運転が可能となる。
【００３１】
そして、枠体１内に冷風の吹出方向とドレン水の排水方向の両方の切換機能を備えて、冷風・除湿の両方の性能を満足する空気調和機が実現できれば、年間を通して利用できる付加価値の高い空気調和機が提供できるが、この２つの選択機能を各々操作する方法では、除湿機として使用するときのドレン水の処理が問題となる。このため、各々操作される冷風の吹出方向とドレン水の排水方向の選択機能を連動させる必要があるが、２つの選択機能を操作する方法では切換操作が複雑になると共に、運転状態がわかりにくい欠点があった。
【００３２】
この発明では、この２つの選択機能を同時に操作できるようにして操作性の簡素化と運転状態の確認が行いやすい構造を実現するためのものであり、図１に示す実施例において、バイパス流路１０の接続口１１は送風ファン５ａのファンケース５ｂの側面に配置しており、１２は接続口１１にスライド可能に取り付けた閉止板、１４は閉止板１２に取り付けた操作つまみで構成する操作手段であり、操作手段１４の操作によって直接閉止板１２を駆動して接続口１１を開閉することができるようになっている。
【００３３】
１３は冷風吹出口８に可動自在に設けた開閉手段、１５は閉止板１２による接続口１１の開閉を検出する開閉スイッチ、１２ｂは閉止板１２に設けたスイッチ作動部であり、開閉手段１３は図示しないモータやソレノイドなどの駆動手段によって駆動して冷風吹出口８を開閉する。閉止板１２が接続口１１を閉止しているときは開閉手段１３が冷風吹出口８を開口しており、閉止板１２が接続口１１を開口したときには閉止板１２のスイッチ作動部１２ｂが開閉スイッチ１５を切換え、開閉手段１３が駆動して冷風吹出口８を閉止する。
【００３４】
１２ａは閉止板１２の可動端に取り付けた閉止弁、６ｄはドレンパン６の下部排水路６ａと上部排水路６ｂとを区画する仕切板、６ｃは仕切板６ｄによって区画された下部排水路６ａと上部排水路６ｂとを連通する連通孔であり、上部排水路６ｂの排水口を下部排水路６ａの排水口よりも高い位置に配置しており、閉止弁１２ａが連通孔６ｃを開口しているときはエバポレータ５から滴下したドレン水が連通孔６ｃを通って下部排水路６ａに流れ込み、閉止弁１３ａが連通孔６ｃを閉止しているときはドレンパン６の水位が上昇して上部排水路６ｂ側に流れ込む。
【００３５】
図１は操作手段１４を除湿冷風運転位置にセットした状態であり、この操作手段１４の位置では閉止板１２が第１の閉止位置に駆動して接続口１１を閉止し、この閉止板１２の位置では閉止弁１２ａが連通孔６ｃを開口し、開閉手段１３は冷風出口５ｃを開口しているので、エバポレータ５を通過した冷風が冷風吹出口８から吹出し、エバポレータ５からドレンパン６に滴下したドレン水は下部排水路６ａからドレンタンク７に送られ、室内の冷風と除湿を行なうことができる。
【００３６】
また、図２は操作手段１４を除湿運転位置にセットした状態であり、この位置では閉止板１２と閉止弁１２ａがドレンパン６とは反対方向に駆動して接続口１１と連通孔６ｃが開口し、閉止板１２のスイッチ作動部１２ｂによって開閉スイッチ１５が切換わって開閉手段１３が冷風出口５ｃを閉止するので、エバポレータ５を通過した冷風は接続口１１からバイパス路１０に送られ、空気取入口９から取込まれる室内空気と混合してコンデンサ３に送られ、エバポレータ５からドレンパン６に滴下したドレン水は下部排水路６ａからドレンタンク７に送られ、室内の除湿を行なうことができる。
【００３７】
また、図３は操作手段１４を冷風運転位置にセットした状態であり、この位置では閉止板１２と閉止弁１２ａがドレンパン６方向に駆動して第２の閉止位置に駆動し、接続口１１を閉止したまま連通孔６ｃが閉止し、開閉弁１３は冷風出口５ｃを開口するので、エバポレータ５を通過した冷風は冷風吹出口８から吹出し、エバポレータ５からドレンパン６に落下したドレン水は上部排水路６ｂからコンデンサ３に送られ、冷風能力の向上と省ドレンによる冷風運転を行うことができる。
【００３８】
このように、閉止弁１２ａによるドレン水の排水路の選択は閉止板１２によって接続口１１を閉止しているときのみ可能となっており、除湿運転を選択して閉止板１２が接続口１１を開口したときは閉止弁１２ａが必ず連通孔６ｃを開口する構造になっているから、除湿運転を選択時の誤使用を確実に防ぐことができる。
【００３９】
従来のように送風経路切換手段と排水経路切換手段に各々操作手段を設けていたときには、互いの操作手段の位置関係を見て運転状態を確認する必要があり、使用者には運転状態が一見してわかりにくく操作も複雑になっていたが、この発明では、使用者は１個の操作手段１４の切換え操作によって運転を選択することができると共に、操作手段１４の位置によって簡単に運転状態の確認ができるものとなったから、使用者は操作手段１４を希望する運転位置にセットするだけでよく、運転の切換操作と運転状態の確認が非常に簡単にできるようになり、使い勝手が向上できた。
【００４０】
また、送風経路切換手段と排水経路切換手段に各々操作手段を設けていたときには、誤使用を防止するために互いの操作手段の位置を規制する構造が必要であり、２つの操作手段を同時に操作するときには強い操作力が必要となり、キャスター１９を取付けている製品では本体が移動して操作が行ないにくいものであったが、この発明では、１個の操作手段１４を操作するだけでよく、この操作手段１４は閉止板１２を駆動させるだけであるから非常に軽い操作力での操作が可能となり、キャスター１９を取り付けた製品でも本体が移動することなく、操作性が向上できた。
【００４１】
また、１６は冷風吹出口８に可動自在に取り付けたルーバーであり、この発明の実施例では冷風運転時は冷風の吹出方向をルーバー１６によって任意に変更できるようになっており、一方、操作手段１４を除湿運転位置にセットしたときは、閉止板１２のスイッチ作動部１２ｂによって開閉スイッチ１５が作動し、ルーバー１６が駆動して冷風吹出口８を閉止してルーバー１６によって冷風出口５ｃを塞ぐことができるようになっている。このため、ルーバー１６によって開閉手段１３を兼用させることができ、部品点数の増加を抑えることができると共に、使用者は除湿運転を選択したときにルーバー１６の駆動によって運転の切換が確認でき、ルーバー１６が閉じているときは除湿運転を行っていることが容易に確認できるものであり、運転状態の確認が行ないやすくなる。
【００４２】
ところで、キャスター１９を備えた空気調和機では、操作手段１４を縦方向にスライド可能に取り付けた方が、操作手段１４の操作時に製品の移動を防止するためには有効であるが、ファンケース５ｂと枠体１との間に閉止板１２やバイパス流路１０を配置する為のスペースが必要となるため、枠体１の形状が大きくなってしまう。一方、送風ファン５ａのファンケース５ｂは側面下部が湾曲しているため、枠体１内のファンケース５ｂの側面下部には空間ができており、従来この空間には特に何も配置されておらずデッドスペースとなっていた。
【００４３】
この発明では、ファンケース５ｂの側面下部に接続口１１を配置し、枠体１とファンケース５ｂとの間の空間を利用してバイパス流路１０を形成すると共に、閉止板１２をこの空間内を横方向にスライド可能に取り付けている。このようにデッドスペースとなっていた枠体１内の空間にバイパス流路１０と閉止板１２を配置することで、枠体１内の部品の配置効率が良くなったから、枠体１の大きさを変更することなく実現できるものとなった。
【００４４】
また、上記のように操作手段１４を横方向にスライド操作する構成にすると、操作手段１４の操作時に本体が移動してしまう心配があったが、この発明では、操作手段１４を配置した枠体１の側面が前後方向に移動するようにキャスター１９を取付けたから、キャスター１９の回転方向が操作手段１４のスライド方向と異なっており、操作手段１４は軽い力で操作が可能となっているから、操作手段１４の操作時に製品に横方向の力がかかっても、キャスター１９が回転することはなく、操作手段１４を横方向にスライドする構成でも、操作手段１４の操作時に製品を移動させることなく操作できるものとなった。
【図面の簡単な説明】
【００４５】
【図１】この発明の実施例を示す空気調和機の側断面図である。
【図２】図１の空気調和機の他の運転状態を示す要部の断面図である。
【図３】図１の空気調和機の他の運転状態を示す要部の断面図である。
【図４】この発明の実施例を示す空気調和機を正面から見た断面図である。
【図５】この発明の送風経路の構造を示す要部断面図である。
【図６】この発明の実施例を示す空気調和機の要部の側面図である。
【符号の説明】
【００４６】
１    枠体
２    圧縮機
３    コンデンサ
３ａ  温風ファン
４    減圧器
５    エバポレータ
５ａ  冷風ファン
５ｂ  ファンケース
５ｃ  冷風出口
６    ドレンパン
６ａ  下部排水路
６ｂ  上部排水路
６ｃ  連通孔
７    ドレンタンク
８    冷風吹出口
９    空気取入口
１０    バイパス流路
１１    接続口
１２    閉止板
１２ａ  閉止弁
１３    開閉手段
１４    操作手段
１５    開閉スイッチ
１６    ルーバー
１９    キャスター
【図１】
2007271219.tif 000003
【図２】
2007271219.tif 000004
【図３】
2007271219.tif 000005
【図４】
2007271219.tif 000006
【図５】
2007271219.tif 000007
【図６】
2007271219.tif 000008